(57)【特許請求の範囲】
【請求項１】
個人情報を含んだ画像を表示する基材と、
前記基材に支持された画像表示体であって、
金属層を含み且つ構造色を呈する第１部分と、前記第１部分と隣り合い且つ前記第１部分と比較して可視光透過率がより高い第２部分とを備えた第１層と、
前記第１部分と向き合い且つ樹脂を含んだ第３部分と、前記第２部分と向き合い且つ前記第３部分と比較して可視光吸収率がより高い第４部分とを備えた第２層と、を具備した前記画像表示体と、
を備え、
前記画像表示体が表示する画像は第１個人情報を含み、前記基材が表示する画像は第２個人情報を含み、前記第１及び第２個人情報は同一人物の情報である
情報媒体。
【請求項２】
前記画像表示体にて、前記第２部分の前記画像表示体の主面への正射影は、前記第４部分の前記主面への正射影に一致している請求項１に記載の情報媒体。
【請求項３】
前記画像表示体にて、前記第２部分は、金属層を含んでいないか、又は、前記第１部分が含んでいる金属層と比較して膜厚がより小さい金属層を含んでいる請求項１又は２に記載の情報媒体。
【請求項４】
前記画像表示体にて、前記第２部分は粒子状の金属を含んでいる請求項１乃至３の何れか１項に記載の情報媒体。
【請求項５】
前記画像表示体にて、前記第１層は、金属層を含み且つ構造色を呈する層の一部のみにエネルギービームを照射して、前記照射された部分において前記金属層を破壊することにより得られる請求項１乃至４の何れか１項に記載の情報媒体。
【請求項６】
前記画像表示体にて、前記第３部分は透明である請求項１乃至５の何れか１項に記載の情報媒体。
【請求項７】
前記画像表示体にて、前記樹脂はエネルギービームの照射によって可視光吸収率が増大するように構成されており、前記第４部分は、前記樹脂に前記エネルギービームを照射することにより得られる物質を含んでいる請求項１乃至６の何れか１項に記載の情報媒体。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
他方、偽造が困難な像を記録する方法として、レーザ照射を用いる方法が開発されている。例えば、特許文献４には、部分反射性の層を含んだ積層体に短波長レーザを照射して、部分反射性の層を少なくとも部分的に除去することにより、所望の記号を形成することが記載されている（請求項６）。
【０００９】
また、特許文献５には、「透明性基材、前記透明性基材の背面に積層された透明樹脂層からなり背面にホログラムの微細凹凸を有するホログラム形成層、および前記ホログラム形成層の前記微細凹凸に沿って積層された反射性金属層とからなる反射型ホログラム複合体、色彩可変層、並びに着色層とからなり、前記反射性金属層は前記反射性金属層の有無で構成されたパターンを有しており、前記色彩可変層は前記反射型ホログラム複合体と積層されて積層体を形成しており、前記積層体の背面に前記着色層が積層されていることを特徴とする真正性識別体」が記載されている（請求項１）。また、特許文献５には、反射性金属層の有無で構成された上記パターンを、レーザ光等を利用して形成することも記載されている（段落０００９）。
【先行技術文献】
【特許文献】
【００１０】
【特許文献１】特開２０００−１４１８６３号公報
【特許文献２】特開２００２−２２６７４０号公報
【特許文献３】特開２００３−１７０６８５号公報
【特許文献４】特表２００２−５２２２６３号公報
【特許文献５】特開２００６−１４５６８８号公報
【発明の概要】
【発明が解決しようとする課題】
【００１１】
本発明の目的は、改竄が困難であり且つ視認性が高い像を表示可能とする技術を提供することにある。
【課題を解決するための手段】
【００１２】
本発明の第１側面によると、個人情報を含んだ画像を表示する基材と、前記基材に支持された画像表示体であって、金属層を含み且つ構造色を呈する第１部分と、前記第１部分と隣り合い且つ前記第１部分と比較して可視光透過率がより高い第２部分とを備えた第１層と、前記第１部分と向き合い且つ樹脂を含んだ第３部分と、前記第２部分と向き合い且つ前記第３部分と比較して可視光吸収率がより高い第４部分とを備えた第２層とを具備した前記画像表示体と、を備え、前記画像表示体が表示する画像は第１個人情報を含み、前記基材が表示する画像は第２個人情報を含み、前記第１及び第２個人情報は同一人物の情報である情報媒体が提供される。
【発明の効果】
【００１６】
本発明によると、改竄が困難であり且つ視認性が高い像を表示することが可能となる。
【図面の簡単な説明】
【００１７】
【図１】本発明の一態様に係る情報媒体を概略的に示す平面図。
【図２】本発明の一態様に係る画像表示体を概略的に示す平面図。
【図３】図２に示す画像表示体のＩＩＩ−ＩＩＩ線に沿った断面図。
【図４】一変形例に係る画像表示体を概略的に示す断面図。
【図５】他の変形例に係る画像表示体を概略的に示す断面図。
【図６】他の変形例に係る画像表示体を概略的に示す断面図。
【図７】他の変形例に係る画像表示体を概略的に示す断面図。
【図８】他の変形例に係る画像表示体を概略的に示す断面図。
【図９】本発明の一態様に係る画像表示体の製造に利用可能なブランク媒体の一例を概略的に示す断面図。
【図１０】本発明の一態様に係る画像表示体の製造方法の一例を概略的に示す断面図。
【図１１】本発明の他の態様に係る情報媒体を概略的に示す平面図。
【図１２】本発明の他の態様に係る情報媒体を概略的に示す斜視図。
【発明を実施するための形態】
【００１８】
以下、本発明の態様について、図面を参照しながら詳細に説明する。なお、同様又は類似した機能を発揮する構成要素には全ての図面を通じて同一の参照符号を付し、重複する説明は省略する。
【００１９】
図１は、本発明の一態様に係る情報媒体を概略的に示す平面図である。  
図１に示す情報媒体１００は、個人認証媒体であり、パスポートなどの冊子体である。図１には、開いた状態の冊子体を描いている。
【００２０】
この情報媒体１００は、折り丁１と表紙２とを含んでいる。  
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００２１】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００２２】
表紙２は、個人情報を含んだ画像を表示する。この個人情報は、個人の認証に利用する個人認証情報を含んでいる。この個人情報は、例えば、生体情報と非生体個人情報とに分類することができる。
【００２３】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００２４】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００２５】
図１において、表紙２は、画像Ｉ１ａ、Ｉ１ｂ、Ｉ２及びＩ３を表示している。  
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００２６】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００２７】
画像Ｉ１ｂは、後述する情報媒体が表示する画像である。
【００２８】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００２９】
画像Ｉ１ｂは、生体情報の代わりに非生体個人情報を含んでいてもよく、生体情報に加えて非生体個人情報を更に含んでいてもよい。また、画像Ｉ１ｂは、個人情報の代わりに非個人情報を含んでいてもよく、個人情報に加えて非個人情報を更に含んでいてもよい。
【００３０】
画像Ｉ２は、非生体個人情報と非個人情報とを含んでいる。画像Ｉ２は、例えば、文字、記号、符号及び標章の１つ以上を構成している。
【００３１】
画像Ｉ３は、地紋である。例えば、画像Ｉ３と画像Ｉ１ａ及びＩ１ｂの少なくとも一方とを組み合わせると、情報媒体１００の改竄をより困難にすることができる。
【００３２】
情報媒体１００のうち画像Ｉ１ｂに対応した部分は、以下に説明する画像表示体２００を含んでいる。
【００３３】
図２は、本発明の一態様に係る画像表示体を概略的に示す平面図である。図３は、図２に示す画像表示体のＩＩＩ−ＩＩＩ線に沿った断面図である。図２及び図３では、画像表示体２００の主面に平行であり且つ互いに直交する方向をＸ方向及びＹ方向とし、上記主面に垂直な方向をＺ方向としている。また、図２及び図３では、画像表示体２００のうち後述する第１部分Ｐ１と第３部分Ｐ３とが向き合っている部分を表示部ＤＰ１とし、後述する第２部分Ｐ２と第４部分Ｐ４とが向き合っている部分を表示部ＤＰ２としている。
【００３４】
まず、図２及び図３に示す画像表示体２００の構成について説明する。  
図２及び図３に示す画像表示体２００は、第１層２０１と第２層２０２とを備えている。図３には、一例として、第１層２０１が第２層２０２に対して前面側に位置している場合を描いている。
【００３５】
第１層２０１は、第１部分Ｐ１と第２部分Ｐ２とを備えている。  
第１部分Ｐ１は、金属層を含み且つ構造色を呈する。第１部分Ｐ１は、典型的には、特定の照明条件下において、観察角度に応じて異なった色を表示する。
【００３６】
第１部分Ｐ１が含んでいる金属層は、例えば、金属の単体、合金、金属酸化物、又は金属硫化物を含んでいる。この金属層が含んでいる金属又は合金としては、例えば、アルミニウム、金、銅、銀、ニッケル、イノセル（登録商標）、ＭｏＳ２及びＦｅ２Ｏ３が挙げられる。この金属層は、アルミニウムを含んでいることが特に好ましい。
【００３７】
第１部分Ｐ１は、例えば、金属層を含み且つ構造色を呈する顔料を含有している。第１部分Ｐ１は、例えば、金属層を含み且つ構造色を呈する顔料と、溶剤と、バインダ樹脂とを含んだインキを用いて形成される。
【００３８】
金属層を含み且つ構造色を呈する顔料は、例えば、金属層と上記金属層とは屈折率が異なった層とを含んだ積層体である。この積層体は、例えば、金属層と上記金属層とは屈折率が異なった層とを含んだ多層膜を粉砕することにより得られる。
【００３９】
このような多層膜としては、例えば、ハーフミラー層とスペーサ層とミラー層とがこの順に積層した多層膜を用いることができる。或いは、このような多層膜として、第１ハーフミラー層と第１スペーサ層とミラー層と第２スペーサ層と第２ハーフミラー層とがこの順に積層した多層膜を用いてもよい。これら多層膜については、後で図４及び図５を参照しながら詳しく説明する。
【００４０】
第２部分Ｐ２は、第１部分Ｐ１と面内方向に隣り合っている。図２及び図３には、一例として、第２部分Ｐ２と第１部分Ｐ１とが互いに隣接している場合を描いている。
【００４１】
第２部分Ｐ２は、第１部分Ｐ１と比較して、可視光透過率がより高い。なお、ここで「可視光透過率」とは、可視域の光に対する全光線透過率を意味している。また、この「全光線透過率」は、日本工業規格ＪＩＳ Ｋ７３６１−１に準拠した測定値である。
【００４２】
第２部分Ｐ２は、典型的には、金属層を含んでいないか、又は、第１部分Ｐ１が含んでいる金属層と比較して膜厚がより小さい金属層を含んでいる。後者の場合、第２部分Ｐ２が含んでいる金属層を構成している金属は、典型的には、第１部分Ｐ１が含んでいる金属層を構成しているものと同一である。
【００４３】
第２部分Ｐ２は、金属層の代わりに又は金属層に加えて、粒子状の金属を含んでいてもよい。この金属は、典型的には、第１部分Ｐ１が含んでいる金属層を構成しているものと同一である。
【００４４】
第２層２０２は、第３部分Ｐ３と第４部分Ｐ４とを備えている。  
第３部分Ｐ３は、第１部分Ｐ１と向き合っている。第３部分Ｐ３の画像表示体２００の主面への正射影は、典型的には、第１部分Ｐ１の上記主面への正射影に一致している。なお、ここで及び以下において、各部分の正射影の「一致」とは、数学的に厳密な「一致」を意味するものではなく、各部分に基づいて表示される像の位置ズレが視認不可能である程度の「一致」を意味していることとする。
【００４５】
第３部分Ｐ３は、樹脂を含んでいる。この樹脂としては、例えば、ポリカーボネート樹脂、ポリアミド樹脂、ポリイミド樹脂、ポリアミドイミド樹脂、ポリエステル樹脂、ポリエステルカーボネート樹脂、ポリエーテル樹脂、ポリエーテルケトン樹脂、ポリアクリレート樹脂、ポリメタクリレート樹脂、ＡＢＳ（アクリロニトリル−ブタジエン−スチレン共重合体）樹脂、ポリエチレン樹脂及びポリプロピレン樹脂などのポリオレフィン樹脂、ポリスチレン樹脂、ポリビニルクロリド樹脂、ポリオキシメチレン樹脂、ポリスルホン樹脂、ポリエステルスルホン樹脂、ポリフェニレンスルフィド樹脂、シリコン樹脂、並びにゴム樹脂が挙げられる。
【００４６】
第３部分Ｐ３が含んでいる上記樹脂は、エネルギービームの照射によって可視光吸収率が増大するように構成されていてもよい。
【００４７】
例えば、この樹脂は、添加剤を含んでいてもよい。この添加剤としては、例えば、赤外線吸収剤が挙げられる。このような添加剤を含んだ樹脂を用いると、例えば、赤外線領域のエネルギービームの照射によって、添加剤の周囲における樹脂の炭化を生じさせることができる。即ち、このような構成を採用すると、エネルギービームの照射によって、可視光吸収率を増大させることが可能となる。
【００４８】
第３部分Ｐ３は、典型的には、透明である。この場合、第３部分Ｐ３は、無色且つ透明であってもよく、有色且つ透明であってもよい。
【００４９】
第４部分Ｐ４は、第３部分Ｐ３と面内方向に隣り合っている。図２及び図３には、一例として、第４部分Ｐ４と第３部分Ｐ３とが互いに隣接している場合を描いている。
【００５０】
第４部分Ｐ４は、第２部分Ｐ２と向き合っている。第４部分Ｐ４の画像表示体２００の主面への正射影は、典型的には、第２部分Ｐ２の上記主面への正射影に一致している。また、第１部分Ｐ１と第２部分Ｐ２とが隣接しており且つ第３部分Ｐ３と第４部分とが隣接している場合、第１部分Ｐ１と第２部分Ｐ２との境界の上記主面への正射影は、典型的には、第３部分Ｐ３と第４部分との境界の上記主面への正射影に一致している。
【００５１】
第４部分Ｐ４は、第３部分Ｐ３と比較して、可視光吸収率がより高い。第４部分Ｐ４の構成には、特に制限はない。例えば、第３部分Ｐ３が含んでいる樹脂がエネルギービームの照射により可視光吸収率が増大するように構成されている場合、第４部分Ｐ４は、上記樹脂にエネルギービームを照射することにより得られる物質を含んでいてもよい。
【００５２】
次に、図２及び図３に示す画像表示体２００が示す光学効果について説明する。
【００５３】
画像表示体２００において、表示部ＤＰ１は、第１部分Ｐ１と第３部分Ｐ３とを含んだ積層構造を備えている。他方、表示部ＤＰ２は、第２部分Ｐ２と第４部分Ｐ４とを含んだ積層構造を備えている。
【００５４】
第１部分Ｐ１は、上述した通り、構造色を呈する。加えて、第３部分Ｐ３は、第４部分Ｐ４と比較して、可視光吸収率がより低い。それゆえ、図２及び図３に示す画像表示体２００を前面側から観察した場合、表示部ＤＰ１は、構造色を呈すると共に、比較的明るい像を表示する。
【００５５】
第２部分Ｐ２は、第１部分Ｐ１と比較して、可視光透過率がより高い。加えて、第４部分Ｐ４は、第３部分Ｐ３と比較して、可視光吸収率がより高い。それゆえ、図２及び図３に示す画像表示体２００を前面側から観察した場合、表示部ＤＰ２は、表示部ＤＰ１と比較してより暗い像を表示する。
【００５６】
このように、表示部ＤＰ１は、第１部分Ｐ１と第３部分Ｐ３との組み合わせに起因して明るい像を表示し、表示部ＤＰ２は、第２部分Ｐ２と第４部分Ｐ４との組み合わせに起因して暗い像を表示する。
【００５７】
したがって、表示部ＤＰ１と表示部ＤＰ２との対比により表示される画像は、例えば、第１部分Ｐ１と第２部分Ｐ２との対比のみに基づいて表示される画像、又は、第３部分Ｐ３と第４部分Ｐ４との対比のみに基づいて表示される画像と比較して、際立って高いコントラストを有している。即ち、表示部ＤＰ１と表示部ＤＰ２との対比により表示される画像は、視認性が極めて高い。
【００５８】
また、表示部ＤＰ１と表示部ＤＰ２とは、図２及び図３に示す画像表示体２００を背面側から観察した場合にも、互いに異なった光学効果を呈する。したがって、図２及び図３に示す画像表示体２００は、背面側から観察した場合にも、表示部ＤＰ１と表示部ＤＰ２との対比による画像を表示する。それゆえ、画像表示体２００が表示する画像を改竄することは、比較的困難である。
【００５９】
上述した通り、第２部分Ｐ２は、金属層の代わりに又は金属層に加えて、粒子状の金属を含んでいてもよい。この場合、第２部分Ｐ２の材料としては、例えば、アルミペースト、カルボニル鉄粉、及びOVI（optical variable ink）が挙げられる。
【００６０】
また、第３部分Ｐ３は、典型的には、透明である。この場合、図２及び図３に示す画像表示体２００を背面側から観察すると、表示部ＤＰ１において、第１部分Ｐ１に起因した光学効果を視認することができる。よって、この場合、背面側から観察した場合でも、第１部分Ｐ１に起因した構造色を観察者に視認させることができる。したがって、この場合、画像表示体２００が表示する画像を改竄することは更に困難である。
【００６１】
そして、第４部分Ｐ４の画像表示体２００の主面への正射影は、典型的には、第２部分Ｐ２の上記主面への正射影に一致させる。こうすると、第２部分Ｐ２に基づいて表示される像と第４部分Ｐ４に基づいて表示される像との位置ズレが小さくなり、画像表示体２００が表示する画像の画質を更に向上させることができる。
【００６２】
以上において説明した画像表示体には、種々の変形が可能である。  
図４は、一変形例に係る画像表示体を概略的に示す断面図である。図４に示す画像表示体２００は、第１部分Ｐ１の構成が異なっていることを除いては、図２及び図３に示す画像表示体と同様の構成を有している。
【００６３】
図４に示す画像表示体２００では、第１部分Ｐ１は、ハーフミラー層２０１Ａとスペーサ層２０１Ｂとミラー層２０１Ｃとがこの順に積層した多層膜を含んでいる。図４には、一例として、ハーフミラー層２０１Ａが画像表示体２００の前面側に位置し、ミラー層２０１Ｃが画像表示体２００の背面側に位置している場合を描いている。
【００６４】
ハーフミラー層２０１Ａは、金属層であり、典型的には、金属の単体、合金、金属酸化物又は金属硫化物を含んでいる。ハーフミラー層２０１Ａが含んでいる金属又は合金としては、例えば、アルミニウム、ニッケル、イノセル（登録商標）、ＭｏＳ２及びＦｅ２Ｏ３が挙げられる。ハーフミラー層２０１Ａの厚みは、例えば、５乃至２０ｎｍの範囲内とする。
【００６５】
スペーサ層２０１Ｂは、典型的には、誘電材料を含んでいる。この誘電材料の屈折率は、１．６５以下であることが好ましい。また、この誘電材料は、透明であることが好ましい。このような誘電材料としては、例えば、ＳｉＯ２及びＭｇＦ２が挙げられる。スペーサ層２０１Ｂの厚みは、例えば、３００乃至５００ｎｍの範囲内とする。
【００６６】
ミラー層２０１Ｃは、金属層であり、典型的には、金属の単体又は合金を含んでいる。ミラー層２０１Ｃが含んでいる金属としては、例えば、アルミニウム、金、銅及び銀が挙げられる。この金属としては、アルミニウムが特に好ましい。ミラー層２０１Ｃの厚みは、例えば３００ｎｍ以下とし、典型的には５０乃至１５０ｎｍの範囲内とする。なお、このミラー層２０１Ｃには、回折構造が設けられていてもよい。
【００６７】
図５は、他の変形例に係る画像表示体を概略的に示す断面図である。図５に示す画像表示体２００は、第１部分Ｐ１の構成が異なっていることを除いては、図４に示す画像表示体と同様の構成を有している。
【００６８】
図５に示す画像表示体２００では、第１部分Ｐ１は、第１ハーフミラー層２０１Ａと第１スペーサ層２０１Ｂとミラー層２０１Ｃと第２スペーサ層２０１Ｄと第２ハーフミラー層２０１Ｅとがこの順に積層した多層膜を含んでいる。ハーフミラー層２０１Ａ及び２０１Ｅ、並びに、スペーサ層２０１Ｂ及び２０１Ｄとしては、例えば、先に図４を参照しながら説明したのと同様の構成を採用することができる。
【００６９】
図５に示す画像表示体２００では、第３部分Ｐ３が透明である構成を採用することが特に好ましい。こうすると、画像表示体２００を背面側から観察した場合でも、第１部分Ｐ１に起因した構造色を、観察者に視認させることができる。
【００７０】
図６は、他の変形例に係る画像表示体を概略的に示す断面図である。  
図６に示す画像表示体２００では、第１部分Ｐ１と第３部分Ｐ３との界面に、白色光の照射により回折光を射出可能な凹凸構造が設けられている。即ち、第１部分Ｐ１は、この凹凸構造に起因した構造色を呈する。
【００７１】
第１部分Ｐ１は、樹脂層２０１ａと金属層２０１ｂとを含んでいる。樹脂層２０１ａの一方の主面には、上述した凹凸構造が設けられている。金属層２０１ｂは、樹脂層２０１ａの上記凹凸構造が設けられた主面を被覆している。この金属層２０１ｂとしては、例えば、先に図２及び図３を参照しながら説明した構成を採用することができる。
【００７２】
なお、図６には、第２部分Ｐ２と第４部分Ｐ４との界面にも凹凸構造が設けられている場合を描いているが、この凹凸構造は、省略してもよい。
【００７３】
図７は、他の変形例に係る画像表示体を概略的に示す断面図である。図７に示す画像表示体２００は、第３部分Ｐ３及び第４部分Ｐ４が多層構造を有していることを除いては、図２及び図３に示す画像表示体と同様の構成を有している。
【００７４】
第３部分Ｐ３は、第１樹脂層２０２Ａと第２樹脂層２０２Ｂとがこの順に積層した積層構造を含んでいる。
【００７５】
第１樹脂層２０２Ａは、典型的には、エネルギービームの照射によって可視光吸収率が増大するように構成された樹脂を含んでいる。このような樹脂としては、例えば、先に図２及び図３を参照しながら説明したものを挙げることができる。
【００７６】
第２樹脂層２０２Ｂは、第１樹脂層２０２Ａを間に挟んで、第１部分Ｐ１と向き合っている。第２樹脂層２０２Ｂが含んでいる樹脂は、典型的には、上記のエネルギービームの波長に対して透明である。即ち、この樹脂は、典型的には、上記エネルギービームを照射しても、可視光吸収率が実質的に増大しない樹脂である。
【００７７】
第１樹脂層２０２Ａが含んでいる樹脂と第２樹脂層２０２Ｂが含んでいる樹脂とは、添加剤の有無を除いては、同一の種類の樹脂であることが好ましい。このような構成としては、例えば、第２樹脂層２０２Ｂがポリカーボネート樹脂を含み、且つ第１樹脂層２０２Ａが添加剤を含有したポリカーボネート樹脂を含んでいる態様が挙げられる。このような構成を採用すると、第１樹脂層２０２Ａと第２樹脂層２０２Ｂとの間における剥離が生じ難くなり、画像表示体２００の耐久性が更に向上する。
【００７８】
第４部分Ｐ４は、第３樹脂層２０２Ａ’と第４樹脂層２０２Ｂ’とがこの順に積層した積層構造を含んでいる。  
第３樹脂層２０２Ａ’は、第１樹脂層２０２Ａと隣り合っている。第３樹脂層２０２Ａ’は、典型的には、第１樹脂層２０２Ａが含んでいる樹脂にエネルギービームを照射することにより得られる物質を含んでいる。即ち、第３樹脂層２０２Ａ’は、典型的には、第１樹脂層２０２Ａと比較して、可視光吸収率がより高い。
【００７９】
第４樹脂層２０２Ｂ’は、第２樹脂層２０２Ｂと隣り合っている。第４樹脂層２０２Ｂ’は、第３樹脂層２０２Ａ’を間に挟んで、第２部分Ｐ２と向き合っている。第３樹脂層２０２Ａ’は、典型的には、第１樹脂層２０２Ａと同一の構成を有している。即ち、第４樹脂層２０２Ｂ’は、典型的には、第２樹脂層２０２Ｂと同一の可視光吸収率を有している。
【００８０】
このような構成を採用した場合、例えば、第４部分Ｐ４が第３樹脂層２０２Ａ’のみからなる場合と比較して、第４部分Ｐ４に記録された情報を改竄することがより困難となる。即ち、このような構成を採用すると、第４部分Ｐ４に基づいて表示される像の改竄を、更に困難とすることができる。
【００８１】
図２乃至図７では、画像表示体２００が第１層２０１及び第２層２０２のみからなる場合について説明したが、画像表示体２００は、これら以外の追加の層を更に含んでいてもよい。
【００８２】
図８は、他の変形例に係る画像表示体を概略的に示す断面図である。図８に示す画像表示体２００は、保護層２０３を更に備えていることを除いては、図７に示す画像表示体と同様の構成を有している。
【００８３】
保護層２０３は、第１層２０１を間に挟んで、第２層２０２と向き合っている。保護層２０３は、例えば、先に図７を参照しながら説明した第２樹脂層２０２Ｂと同様の構成を有している。
【００８４】
このような構成を採用した場合、保護層２０３を省略した場合と比較して、第２部分Ｐ２に記録された情報を改竄することがより困難となる。即ち、このような構成を採用すると、第２部分Ｐ２に基づいて表示される像の改竄を、更に困難とすることができる。
【００８５】
なお、以上において説明した種々の変形例は、その２つ以上を互いに組み合わせて採用してもよい。
【００８６】
続いて、画像表示体２００の製造方法の一例について説明する。画像表示体２００は、例えば、以下に説明するブランク媒体を用いて製造することができる。  
図９は、本発明の一態様に係る画像表示体の製造に利用可能なブランク媒体の一例を概略的に示す断面図である。
【００８７】
図９に示すブランク媒体は、第１記録層３０１と第２記録層３０２とを備えている。  
第１記録層３０１は、金属層を含み且つ構造色を呈する。この第１記録層３０１としては、例えば、先に第１部分Ｐ１について説明したのと同様の構成を採用することができる。
【００８８】
第２記録層３０２は、第１記録層３０１と少なくとも部分的に向き合っている。この第２記録層３０２は、エネルギービームの照射によって可視光吸収率が増大するように構成されている。この第２記録層３０２としては、例えば、先に第３部分Ｐ３について説明したのと同様の構成を採用することができる。
【００８９】
このブランク媒体３００は、上述した通り、画像表示体２００の製造に用いられる。  
図１０は、本発明の一態様に係る画像表示体の製造方法の一例を概略的に示す断面図である。
【００９０】
図１０は、図９に示すブランク媒体３００のうち第１記録層３０１と第２記録層３０２とが向き合った積層部分の一部に、エネルギービームＥＢを照射している様子を示している。この積層部分にエネルギービームＥＢを照射すると、以下のような変化が生じる。
【００９１】
まず、第１記録層３０１のうちエネルギービームＥＢが照射された位置では、第１記録層３０１が含んでいる金属層が破壊される。これにより、第１記録層３０１の当該位置において、可視光透過率が増大する。即ち、これにより、先に説明した第２部分Ｐ２を形成することができる。なお、第１記録層３０１のうちエネルギービームＥＢが照射されていない部分は、先に説明した第１部分Ｐ１に対応している。
【００９２】
このようにして形成された第２部分Ｐ２は、金属層を含んでいないか、又は、第１部分Ｐ１が含んでいる金属層と比較して膜厚がより小さい金属層を含んでいる。
【００９３】
また、本発明者らは、このようにして形成された第２部分Ｐ２は、典型的には、粒子状の金属を含んでいることを見出している。本発明者らは、これら粒子状の金属は、エネルギービームＥＢの照射による金属層の破壊に起因して、金属層を構成していた金属が互いに凝集することにより形成されたものであると推測している。
【００９４】
次に、第２記録層３０２のうちエネルギービームＥＢが照射された位置では、可視光吸収率が増大する。これにより、先に説明した第４部分Ｐ４を形成することができる。なお、第２記録層３０２のうちエネルギービームＥＢが照射されていない部分は、先に説明した第３部分Ｐ３に対応している。
【００９５】
このように、ブランク媒体３００へのエネルギービームＥＢの照射により、画像表示体２００を製造することができる。
【００９６】
この方法によると、オンデマンドで、所望の画像を記録することができる。そのため、この方法は、個人情報などの個別情報を記録する場合に特に有用である。
【００９７】
また、この方法によると、第１記録層３０１に記録した画像と第２記録層３０２に記録した画像との位置合わせが比較的容易である。即ち、この方法によると、第４部分Ｐ４の画像表示体２００の主面への正射影と、第２部分Ｐ２の上記主面への正射影とを一致させることが、比較的容易である。それゆえ、この方法によると、画像表示体２００が表示する画像の画質を更に向上させることができる。
【００９８】
第１記録層３０１へのエネルギービームＥＢの照射と、第２記録層３０２へのエネルギービームＥＢの照射とは、同時に行ってもよく、段階的に行ってもよい。但し、前者の場合、後者の場合と比較して、第１記録層３０１に記録した画像と第２記録層３０２に記録した画像との位置ズレを更に生じ難くすることができる。即ち、前者の場合、後者の場合と比較して、画像表示体２００が表示する画像の画質を更に向上させることができる。
【００９９】
エネルギービームＥＢとしては、通常、レーザビームを用いる。このレーザビームの照射源としては、典型的には、Ｎｄ：ＹＡＧレーザを用いる。或いは、レーザビームの照射源として、Ｎｄ：ＹＶＯ４レーザを使用してもよく、炭酸ガスレーザを使用してもよく、レーザダイオードを使用してもよい。
【０１００】
エネルギービームＥＢとしては、レーザビーム以外のものを採用してもよい。例えば、電子ビームなどの荷電粒子ビームを採用してもよい。電子ビーム描画装置によると、レーザと比較して、より小さなビーム径を達成できる。したがって、この場合、より高精細な画像を記録することが可能となる。
【０１０１】
なお、ブランク媒体３００は、第１記録層３０１及び第２記録層３０２以外に、１つ以上の追加の層を更に備えていてもよい。但し、これらの追加の層は、エネルギービームＥＢの波長に対して透明であることが好ましい。こうすると、第１記録層３０１及び第２記録層３０２への画像の記録を、より効率的に行うことが可能となる。
【０１０２】
以上において説明した画像表示体２００は、典型的には、情報媒体１００の一部として用いる。この場合、画像表示体２００の第２層２０２は、情報媒体１００を構成している基材と共通であってもよい。或いは、画像表示体２００は、情報媒体１００を構成している基材上に、接着層などを介して貼り付けられていてもよい。
【０１０３】
上では、パスポートとしての情報媒体１００を例示したが、情報媒体１００について上述した技術は、他の情報媒体に適用することも可能である。例えば、この技術は、査証カード、ＩＤカード及びゲームカードなどの各種カードに適用することも可能である。或いは、この技術は、住民基本台帳などの他の個人認証媒体に適用してもよい。
【０１０４】
図１１は、本発明の他の態様に係る情報媒体を概略的に示す平面図である。図１１に示す情報媒体４００は、ＩＤカードであり、上で説明した画像表示体２００に基づいた画像Ｉ１ｂを含んでいる。よって、この情報媒体４００は、改竄が困難である。
【０１０５】
また、上では、情報媒体としてパスポート及びＩＤカードなどの個人認証媒体を例示したが、情報媒体１００及び４００について上述した技術は、個人認証媒体以外の情報媒体に適用することも可能である。即ち、上述した技術は、個人認証以外の目的で利用してもよい。
【０１０６】
図１２は、本発明の他の態様に係る情報媒体を概略的に示す斜視図である。図１２に示す情報媒体５００は、プリンタの部品及び自動車の部品などの物品であり、上で説明した画像表示体２００に基づいた画像Ｉ１ｂを含んでいる。この画像Ｉ１ｂは、例えば、当該物品を流通させるべき国及び地域の情報を個別に表示する。これにより、例えば、当該物品の不正流通を追跡することが可能となる。
【実施例】
【０１０７】
図８を参照しながら説明した画像表示体２００を、以下のようにして製造した。  
まず、ポリカーボネートからなる保護層２０３の一方の主面に、金属層を含み且つ構造色を表示する顔料を含んだインキを、スクリーン印刷により塗布した。これにより、保護層２０３の一方の主面上に、第１記録層３０１を形成した。なお、上記のインキとしては、シクパ社製のＯＶＩを用いた。また、保護層２０３の厚みは１００μｍとし、第１記録層３０１の厚みは１０μｍとした。
【０１０８】
次に、ポリカーボネートからなるＡ層と、エネルギービームの照射によって可視光吸収率が増大するように構成されたポリカーボネートからなるＢ層（Bayer社製；Makrofol ID 6-2 750061；厚さ100μm）との積層体からなる第２記録層３０２を準備した。これら各層の厚みは、それぞれ、１００μｍとした。即ち、第２記録層３０２の厚みは、２００μｍとした。
【０１０９】
続いて、保護層２０３の一方の主面に設けた第１記録層３０１と、第２記録層３０２を構成している上記Ｂ層とが互いに向き合うようにして固定し、この状態で、熱融着させた。このようにして、画像表示体２００の製造に用いるブランク媒体３００を準備した。
【０１１０】
次いで、このブランク媒体３００の一部に、Ｎｄ：ＹＡＧレーザ（波長＝１０６４ｎｍ）を１６００ｍＷの強度で照射し、顔画像を描画した。即ち、このレーザ照射により、第２部分Ｐ２と第４部分Ｐ４とを同時に形成し、表示部ＤＰ１と表示部ＤＰ２との対比による画像として、顔画像を記録した。
【０１１１】
このようにして、図８を参照しながら説明した画像表示体２００を製造した。
【０１１２】
この画像表示体２００を前面側から観察すると、上記の顔画像が、明瞭に視認できた。即ち、この顔画像は、視認性が高く且つ画質が優れていた。加えて、この画像表示体２００のうち表示部ＤＰ１に対応した部分は、観察角度の変化に応じて、異なった色の像を表示した。
【０１１３】
また、この画像表示体２００を背面側から観察した場合にも、上記の顔画像を、明瞭に視認することができた。また、この画像表示体２００のうち表示部ＤＰ１に対応した部分は、背面側から観察した場合においても、観察角度の変化に応じて、異なった色の像を表示した。
【符号の説明】
【０１１４】
１…折り丁、２…表紙、１１…紙片、１２…印刷パターン、１００…情報媒体、２００…画像表示体、２０１…第１層、２０１Ａ…ハーフミラー層、２０１Ｂ…スペーサ層、２０１Ｃ…ミラー層、２０１Ｄ…スペーサ層、２０１Ｅ…ハーフミラー層、２０１ａ…樹脂層、２０１ｂ…金属層、２０２…第２層、２０２Ａ…第１樹脂層、２０２Ｂ…第２樹脂層、２０２Ａ’…第３樹脂層、２０２Ｂ’…第４樹脂層、２０３…保護層、３００…ブランク媒体、３０１…第１記録層、３０２…第２記録層、４００…情報媒体、５００…情報媒体、ＤＰ１…表示部、ＤＰ２…表示部、ＥＢ…エネルギービーム、Ｉ１ａ…画像、Ｉ１ｂ…画像、Ｉ２…画像、Ｉ３…画像、Ｐ１…第１部分、Ｐ２…第２部分、Ｐ３…第３部分、Ｐ４…第４部分。
【図１】
0005569234.tif 000002
【図２】
0005569234.tif 000003
【図３】
0005569234.tif 000004
【図４】
0005569234.tif 000005
【図５】
0005569234.tif 000006
【図６】
0005569234.tif 000007
【図７】
0005569234.tif 000008
【図８】
0005569234.tif 000009
【図９】
0005569234.tif 000010
【図１０】
0005569234.tif 000011
【図１１】
0005569234.tif 000012
【図１２】
0005569234.tif 000013